(57)【特許請求の範囲】
【請求項１】
複数のアンテナをサポートする無線通信システムにおいて制御信号を送信する方法であって、前記方法は、
ユーザー機器（ＵＥ）によって、第１のアンテナポートのための第１のＰＵＣＣＨ（Ｐｈｙｓｉｃａｌ  Ｕｐｌｉｎｋ  Ｃｏｎｔｒｏｌ  Ｃｈａｎｎｅｌ）リソースおよび第２のアンテナポートのための第２のＰＵＣＣＨリソースを決定することと、
前記ＵＥによって、アップリンク送信パワーに基づいて前記第１のＰＵＣＣＨリソースおよび前記第２のＰＵＣＣＨリソースを用いて前記第１のアンテナポートおよび前記第２のアンテナポートを介してＰＵＣＣＨ上で制御信号を送信することと
を含み、
サブフレームｉにおけるアップリンク送信パワーＰＰＵＣＣＨ（ｉ）が、
【数１】
0005567677.tif 000011
によって決定され、
ここで、ＰＣＭＡＸ（ｉ）は、サブフレームｉの構成されたＵＥ送信パワーであり、
Ｐ０＿ＰＵＣＣＨは、上位階層による提供に基づいて構成されるパラメータであり、
ΔＦ＿ＰＵＣＣＨ（Ｆ）は、前記上位階層により提供されるパラメータであり、
ｈ（ｎＣＱＩ，ｎＨＡＲＱ）は、ＰＵＣＣＨフォーマットに従属する値であり、
ＰＬは、前記ＵＥにおいて計算されたダウンリンク経路損失推定であり、
ｇ（ｉ）は、ＵＥ特定値に関連する値であり、
Δ（Ｍ）は、前記ＰＵＣＣＨが前記第１のアンテナポートおよび前記第２のアンテナポートを介して送信されるときのＰＵＣＣＨフォーマットに従って基地局により提供されるオフセット値である、方法。
【請求項２】
前記ＰＵＣＣＨが１つのアンテナポートを介して送信される場合に、Δ（Ｍ）＝０である、請求項１に記載の方法。
【請求項３】
前記ＰＵＣＣＨフォーマットが、
【表１】
0005567677.tif 000012
によって規定される、請求項１に記載の方法。
【請求項４】
前記制御信号は、スケジューリング要求、ハイブリッド自動繰り返し要求（ＨＡＲＱ）のためのＡＣＫ／ＮＡＣＫ、およびチャネル品質指示子（ＣＱＩ）のうちの少なくとも１つを含む、請求項１に記載の方法。
【請求項５】
送信モードに関する情報を基地局から受信することをさらに含み、前記送信モードは、前記ＰＵＣＣＨが１つのアンテナポートまたは２つのアンテナポートを介して送信されることを指示する、請求項１に記載の方法。
【請求項６】
複数のアンテナをサポートする無線通信システムのユーザー機器（ＵＥ）であって、前記ＵＥは、第１のアンテナポートと、第２のアンテナポートと、トランシーバーとを備え、
前記トランシーバーは、
第１のアンテナポートのための第１のＰＵＣＣＨ（Ｐｈｙｓｉｃａｌ  Ｕｐｌｉｎｋ  Ｃｏｎｔｒｏｌ  Ｃｈａｎｎｅｌ）リソースおよび第２のアンテナポートのための第２のＰＵＣＣＨリソースを決定することと、
アップリンク送信パワーに基づいて前記第１のＰＵＣＣＨリソースおよび前記第２のＰＵＣＣＨリソースを用いて前記第１のアンテナポートおよび前記第２のアンテナポートを介してＰＵＣＣＨ上で制御信号を送信することと
を実行するように構成されており、
サブフレームｉにおけるアップリンク送信パワーＰＰＵＣＣＨ（ｉ）が、
【数２】
0005567677.tif 000013
によって決定され、
ここで、ＰＣＭＡＸ（ｉ）は、サブフレームｉの構成されたＵＥ送信パワーであり、
Ｐ０＿ＰＵＣＣＨは、上位階層による提供に基づいて構成されるパラメータであり、
ΔＦ＿ＰＵＣＣＨ（Ｆ）は、前記上位階層により提供されるパラメータであり、
ｈ（ｎＣＱＩ，ｎＨＡＲＱ）は、ＰＵＣＣＨフォーマットに従属する値であり、
ＰＬは、前記ＵＥにおいて計算されたダウンリンク経路損失推定であり、
ｇ（ｉ）は、ＵＥ特定値に関連する値であり、
Δ（Ｍ）は、前記ＰＵＣＣＨが前記第１のアンテナポートおよび前記第２のアンテナポートを介して送信されるときのＰＵＣＣＨフォーマットに従って基地局により提供されるオフセット値である、ＵＥ。
【請求項７】
前記ＰＵＣＣＨが１つのアンテナポートを介して送信される場合に、Δ（Ｍ）＝０である、請求項６に記載のＵＥ。
【請求項８】
前記ＰＵＣＣＨフォーマットが、
【表２】
0005567677.tif 000014
によって規定される、請求項６に記載のＵＥ。
【請求項９】
前記制御信号は、スケジューリング要求、ハイブリッド自動繰り返し要求（ＨＡＲＱ）のためのＡＣＫ／ＮＡＣＫ、およびチャネル品質指示子（ＣＱＩ）のうちの少なくとも１つを含む、請求項６に記載のＵＥ。
【請求項１０】
前記トランシーバーは、送信モードに関する情報を基地局から受信するように構成されており、前記送信モードは、前記ＰＵＣＣＨが１つのアンテナポートまたは２つのアンテナポートを介して送信されることを指示する、請求項６に記載のＵＥ。
【発明の詳細な説明】
【技術分野】
【０００１】
本発明は、無線通信に関し、より詳しくは、無線通信システムにおける送信パワー制御方法及び装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）リリース（Ｒｅｌｅａｓｅ）８に基づいているＬＴＥ（ｌｏｎｇ  ｔｅｒｍ  ｅｖｏｌｕｔｉｏｎ）は、有力な次世代移動通信標準である。
【０００３】
３ＧＰＰ  ＴＳ  ３６．２１１  Ｖ８．５．０（２００８−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”に開示されているように、ＬＴＥにおける物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【０００４】
ダウンリンク制御チャネルであるＰＤＣＣＨは、端末のＰＤＳＣＨ受信のためのダウンリンクグラント（ｇｒａｎｔ）と端末のＰＵＳＣＨ送信のためのアップリンクグラントを運ぶ。アップリンク制御チャネルであるＰＵＣＣＨは、アップリンク制御信号、例えば、ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号、ダウンリンクチャネル状態を示すＣＱＩ（ｃｈａｎｎｅｌ  ｑｕａｌｉｔｙ  ｉｎｄｉｃａｔｏｒ）、アップリンク送信のための無線リソース割当を要求するＳＲ（ｓｃｈｅｄｕｌｉｎｇ  ｒｅｑｕｅｓｔ）などを運ぶ。
【０００５】
より高いデータレート（ｄａｔａ  ｒａｔｅ）を保障するために多重アンテナを使用する技法が導入されている。
【０００６】
送信ダイバーシティや空間多重化を介して多重アンテナ送信は、シングルアンテナ送信に比べて高いリンク性能を得ることができる。
【０００７】
既存３ＧＰＰ  ＬＴＥでは、アップリンク送信に多重アンテナを考慮していない。然しながら、次世代通信システムが多重アンテナを導入するにつれてアップリンク送信パワーも多重アンテナ送信を考慮する必要がある。
【発明の概要】
【発明が解決しようとする課題】
【０００８】
本発明が解決しようとする技術的課題は、多重アンテナ送信のためのアップリンク送信パワー制御方法及び装置を提供することである。
【課題を解決するための手段】
【０００９】
一態様において、無線通信システムにおける送信パワー制御方法が提供される。前記方法は、複数の送信モードの中から一つの送信モードを選択し、前記選択された送信モードに基づいて送信パワーを決定し、及び前記送信パワーを用いてアップリンクチャネルを送信することを含む。
【００１０】
前記複数の送信モードは、多重アンテナ送信モード及びシングルアンテナ送信モードを含む。
【００１１】
前記複数の送信モードは、送信アンテナの個数によって決定される。
【００１２】
前記アップリンクチャネルは、ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）である。
【００１３】
前記選択された送信モードに基づいて送信パワーを決定するステップは、前記アップリンクチャネルのための送信パワーに前記選択された送信モードに対応する送信パワー調節値を加えることを含む。
【００１４】
前記アップリンクチャネルに割り当てられたリソースに基づいて前記複数の送信モードの中から一つの送信モードが選択される。
【００１５】
前記アップリンクチャネルに割り当てられたリソースの個数が１より大きい場合、多重アンテナ送信モードが選択され、前記アップリンクチャネルに割り当てられたリソースの個数が１の場合、シングルアンテナ送信モードが選択される。
【００１６】
前記アップリンクチャネルに割り当てられたリソースはダウンリンク制御チャネルの送信に使われるリソースに基づいて獲得される。
【００１７】
他の態様において、無線装置は、複数のアンテナ；前記送信パワーを用いて前記複数のアンテナを介してアップリンクチャネルを送信する送受信機；及び、複数の送信モードの中から一つの送信モードを選択し、前記選択された送信モードに基づいて前記送信パワーを決定する送信パワー制御部；を含む。
本発明は、例えば以下の項目を提供する。
（項目１）
無線通信システムにおける送信パワー制御方法において、
複数の送信モードの中から一つの送信モードを選択し、
前記選択された送信モードに基づいて送信パワーを決定し、及び
前記送信パワーを用いてアップリンクチャネルを送信することを含む送信パワー制御方法。
（項目２）
前記複数の送信モードは、多重アンテナ送信モード及びシングルアンテナ送信モードを含む項目１に記載の送信パワー制御方法。
（項目３）
前記複数の送信モードは、送信アンテナの個数によって決定される項目２に記載の送信パワー制御方法。
（項目４）
前記アップリンクチャネルは、ＰＵＳＣＨ（Ｐｈｙｓｉｃａｌ  Ｕｐｌｉｎｋ  Ｓｈａｒｅｄ  Ｃｈａｎｎｅｌ）またはＰＵＣＣＨ（Ｐｈｙｓｉｃａｌ  Ｕｐｌｉｎｋ  Ｃｏｎｔｒｏｌ  Ｃｈａｎｎｅｌ）である項目１に記載の送信パワー制御方法。
（項目５）
前記選択された送信モードに基づいて送信パワーを決定するステップは、前記アップリンクチャネルのための送信パワーに前記選択された送信モードに対応する送信パワー調節値を加えることを含む項目１に記載の送信パワー制御方法。
（項目６）
前記アップリンクチャネルに割り当てられたリソースに基づいて前記複数の送信モードの中から一つの送信モードが選択される項目１に記載の送信パワー制御方法。
（項目７）
前記アップリンクチャネルに割り当てられたリソースの個数が１より大きい場合、多重アンテナ送信モードが選択され、前記アップリンクチャネルに割り当てられたリソースの個数が１の場合、シングルアンテナ送信モードが選択される項目６に記載の送信パワー制御方法。
（項目８）
前記アップリンクチャネルに割り当てられたリソースは、ダウンリンク制御チャネルの送信に使われるリソースに基づいて獲得される項目６に記載の送信パワー制御方法。
（項目９）
複数のアンテナ；
前記送信パワーを用いて前記複数のアンテナを介してアップリンクチャネルを送信する送受信機；及び、
複数の送信モードの中から一つの送信モードを選択し、前記選択された送信モードに基づいて前記送信パワーを決定する送信パワー制御部；
を含む無線装置。
（項目１０）
複数の送信モードは、多重アンテナ送信モード及びシングルアンテナ送信モードを含む項目９に記載の無線装置。
（項目１１）
前記送信パワー制御部は、前記アップリンクチャネルに割り当てられたリソースに基づいて前記複数の送信モードの中から一つの送信モードを選択する項目９に記載の無線装置。
【発明の効果】
【００１８】
端末が送信モードをスイッチングする時、送信パワーを調節することができるようにしてリンク性能を向上させることができる。
【図面の簡単な説明】
【００１９】
【図１】無線通信システムを示す。
【図２】３ＧＰＰ  ＬＴＥにおける無線フレームの構造を示す。
【図３】３ＧＰＰ  ＬＴＥにおけるダウンリンクサブフレームの構造を示す。
【図４】ＰＤＣＣＨのリソースマッピングの例を示す。
【図５】ＰＤＣＣＨのモニタリングを示す例示図である。
【図６】３ＧＰＰ  ＬＴＥにおけるアップリンクサブフレームの一例を示す。
【図７】３ＧＰＰ  ＬＴＥにおけるノーマルＣＰでＰＵＣＣＨフォーマット１を示す。
【図８】３ＧＰＰ  ＬＴＥにおける拡張ＣＰでＰＵＣＣＨフォーマット１を示す。
【図９】ＨＡＲＱ実行の一例を示す。
【図１０】多重アンテナを介するＡＣＫ／ＮＡＣＫ信号の送信の一例を示す。
【図１１】複数のリソース決定方法を示す。
【図１２】本発明の一実施例に係る送信パワー制御方法を示すフローチャートである。
【図１３】本発明の実施例が具現される無線装置を示すブロック図である。
【発明を実施するための形態】
【００２０】
図１は、無線通信システムを示す。無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは複数の領域（セクターという）に分けられる。
【００２１】
端末（Ｕｓｅｒ  Ｅｑｕｉｐｍｅｎｔ；ＵＥ）１２は、固定されたり、或いは移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００２２】
基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２３】
以下、ダウンリンク（ｄｏｗｎｌｉｎｋ）は基地局から端末への通信を意味し、アップリンク（ｕｐｌｉｎｋ）は端末から基地局への通信を意味する。ダウンリンクで、送信機は基地局の一部分であり、受信機は端末の一部分である。アップリンクで、送信機は端末の一部分であり、受信機は基地局の一部分である。
【００２４】
図２は、３ＧＰＰ  ＬＴＥにおける無線フレームの構造を示す。これは３ＧＰＰ  ＴＳ  ３６．２１１  Ｖ８．５．０（２００８−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の６節を参照することができる。無線フレーム（ｒａｄｉｏ  ｆｒａｍｅ）は、０〜９のインデックスが付けられた１０個のサブフレーム（ｓｕｂｆｒａｍｅ）で構成され、一つのサブフレームは、２個のスロット（ｓｌｏｔ）で構成される。一つのサブフレームの送信にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。
【００２５】
一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。ＯＦＤＭシンボルは、３ＧＰＰ  ＬＴＥがダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限されるものではない。例えば、ＯＦＤＭシンボルは、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００２６】
一つのスロットは、７ＯＦＤＭシンボルを含むことを例示的に記述するが、ＣＰ（Ｃｙｌｃｉｃ  Ｐｒｅｆｉｘ）の長さによって一つのスロットに含まれるＯＦＤＭシンボルの数は変わることができる。３ＧＰＰ  ＴＳ  ３６．２１１  Ｖ８．５．０（２００８−１２）によると、ノーマルＣＰで１サブフレームは７ＯＦＤＭシンボルを含み、拡張（ｅｘｔｅｎｄｅｄ）ＣＰで１サブフレームは６ＯＦＤＭシンボルを含む。
【００２７】
リソースブロック（ｒｅｓｏｕｒｃｅ  ｂｌｏｃｋ）は、リソース割当単位であり、一つのスロットで複数の副搬送波を含む。例えば、一つのスロットが時間領域で７ＯＦＤＭシンボルを含み、リソースブロックが周波数領域で１２副搬送波を含むと、一つのリソースブロックは７×１２個のリソース要素（ｒｅｓｏｕｒｃｅ  ｅｌｅｍｅｎｔ）を含むことができる。
【００２８】
ＰＳＳ（Ｐｒｉｍａｒｙ  Ｓｙｎｃｈｒｏｎｉｚａｔｉｏｎ  Ｓｉｇｎａｌ）は、１番目のスロット（１番目のサブフレーム（インデックス０であるサブフレーム）の１番目のスロット）と１１番目のスロット（６番目のサブフレーム（インデックス５であるサブフレーム）の１番目のスロット）の最後のＯＦＤＭシンボルに送信される。ＰＳＳは、ＯＦＤＭシンボル同期またはスロット同期を得るために使われ、物理的セルＩＤ（ｉｄｅｎｔｉｔｙ）と関連されている。ＰＳＣ（Ｐｒｉｍａｒｙ  Ｓｙｎｃｈｒｏｎｉｚａｔｉｏｎ  ｃｏｄｅ）は、ＰＳＳに使われるシーケンスであり、３ＧＰＰ  ＬＴＥには３個のＰＳＣがある。セルＩＤによって３個のＰＳＣのうち一つをＰＳＳに送信する。１番目のスロットと１１番目のスロットの最後のＯＦＤＭシンボルの各々には同じＰＳＣを使用する。
【００２９】
ＳＳＳ（Ｓｅｃｏｎｄａｒｙ  Ｓｙｎｃｈｒｏｎｉｚａｔｉｏｎ  Ｓｉｇｎａｌ）は、第１のＳＳＳと第２のＳＳＳを含む。第１のＳＳＳと第２のＳＳＳは、ＰＳＳが送信されるＯＦＤＭシンボルに隣接するＯＦＤＭシンボルで送信される。ＳＳＳはフレーム同期を得るために使われる。ＳＳＳは、ＰＳＳと共にセルＩＤを獲得するために使われる。第１のＳＳＳと第２のＳＳＳは、互いに異なるＳＳＣ（Ｓｅｃｏｎｄａｒｙ  Ｓｙｎｃｈｒｏｎｉｚａｔｉｏｎ  Ｃｏｄｅ）を使用する。第１のＳＳＳと第２のＳＳＳが、各々、３１個の副搬送波を含むとする時、長さ３１である２個のＳＳＣシーケンスの各々が第１のＳＳＳと第２のＳＳＳに使われる。
【００３０】
ＰＢＣＨ（Ｐｈｙｓｉｃａｌ  Ｂｒｏａｄｃａｓｔ  Ｃｈａｎｎｅｌ）は、１番目のサブフレームの２番目のスロットの前方部の４個のＯＦＤＭシンボルで送信される。ＰＢＣＨは、端末と基地局の通信に必須なシステム情報を運び、ＰＢＣＨを介して送信されるシステム情報をＭＩＢ（ｍａｓｔｅｒ  ｉｎｆｏｒｍａｔｉｏｎ  ｂｌｏｃｋ）という。これと比較し、ＰＤＣＣＨ（ｐｈｙｓｉｃａｌ  ｄｏｗｎｌｉｎｋ  ｃｏｎｔｒｏｌ  ｃｈａｎｎｅｌ）を介して送信されるシステム情報をＳＩＢ（ｓｙｓｔｅｍ  ｉｎｆｏｒｍａｔｉｏｎ  ｂｌｏｃｋ）という。
【００３１】
３ＧＰＰ  ＴＳ  ３６．２１１  Ｖ８．５．０（２００８−１２）に開示されているように、ＬＴＥは、物理チャネルをデータチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分ける。また、ダウンリンク制御チャネルでは、例えば、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）とＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）がある。
【００３２】
図３は、３ＧＰＰ  ＬＴＥにおけるダウンリンクサブフレームの構造を示す。サブフレームは、時間領域で制御領域（ｃｏｎｔｒｏｌ  ｒｅｇｉｏｎ）とデータ領域（ｄａｔａ  ｒｅｇｉｏｎ）に分けられる。制御領域は、サブフレーム内の１番目のスロットの前方部の最大３ＯＦＤＭシンボルを含むが、制御領域に含まれるＯＦＤＭシンボルの個数は変わることができる。制御領域にはＰＤＣＣＨが割り当てられ、データ領域にはＰＤＳＣＨが割り当てられる。
【００３３】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；ＤＣＩ）という。ＤＣＩは、ＰＤＳＣＨのリソース割当（これをダウンリンクグラントと呼ばれることもある）、ＰＵＳＣＨのリソース割当（これをアップリンクグラントと呼ばれることもある）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３４】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に関する情報を運ぶ。
【００３５】
ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。即ち、端末が送信したアップリンクデータに対するＡＣＫ／ＮＡＣＫ信号はＰＨＩＣＨ上に送信される。
【００３６】
図４は、ＰＤＣＣＨのリソースマッピングの例を示す。これは３ＧＰＰ  ＴＳ  ３６．２１１  Ｖ８．５．０（２００８−１２）の６．８節を参照することができる。Ｒ０は第１のアンテナの基準信号、Ｒ１は第２のアンテナの基準信号、Ｒ２は第３のアンテナの基準信号、Ｒ３は第４のアンテナの基準信号を示す。
【００３７】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態による符号化率をＰＤＣＣＨに提供するために使われる論理的割当単位であり、複数のＲＥＧ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００３８】
一つのＲＥＧ（図面ではクォードラプリット（ｑｕａｄｒｕｐｌｅｔ）で表示）は４個のＲＥを含み、一つのＣＣＥは９個のＲＥＧを含む。一つのＰＤＣＣＨを構成するために｛１，２，４，８｝個のＣＣＥを使用することができ、集合｛１，２，４，８｝内の要素の各々をＣＣＥ集合レベル（ａｇｇｒｅｇａｔｉｏｎ  ｌｅｖｅｌ）という。
【００３９】
一つまたはその以上のＣＣＥで構成された制御チャネルは、ＲＥＧ単位のインターリービングを実行し、セルＩＤ（ｉｄｅｎｔｉｆｉｅｒ）に基づく循環シフト（ｃｙｃｌｉｃ  ｓｈｉｆｔ）が実行された後に物理的リソースにマッピングされる。
【００４０】
図５は、ＰＤＣＣＨのモニタリングを示す例示図である。これは３ＧＰＰ  ＴＳ  ３６．２１３  Ｖ８．５．０（２００８−１２）の９節を参照することができる。３ＧＰＰ  ＬＴＥではＰＤＣＣＨの検出のためにブラインドデコーディングを使用する。ブラインドデコーディングは、受信されるＰＤＣＣＨ（これを候補（ｃａｎｄｉｄｔａｅ）ＰＤＣＣＨという）のＣＲＣに所望の識別子をデマスキングし、ＣＲＣエラーをチェックし、該当ＰＤＣＣＨが自身の制御チャネルか否かを確認する方式である。端末は、自身のＰＤＣＣＨが制御領域内でどの位置でどんなＣＣＥ集合レベルやどんなＤＣＩフォーマットを使用して送信されるかを知らない。
【００４１】
一つのサブフレーム内で複数のＰＤＣＣＨが送信されることができる。端末は、サブフレーム毎に複数のＰＤＣＣＨをモニタリングする。ここで、モニタリングとは、端末がモニタリングされるＰＤＣＣＨフォーマットによってＰＤＣＣＨのデコーディングを試みることである。
【００４２】
３ＧＰＰ  ＬＴＥではブラインドデコーディングによる負担を減らすために、検索空間（ｓｅａｒｃｈ  ｓｐａｃｅ）を使用する。検索空間は、ＰＤＣＣＨのためのＣＣＥのモニタリング集合（ｍｏｎｉｔｏｒｉｎｇ  ｓｅｔ）であるということができる。端末は該当する検索空間内でＰＤＣＣＨをモニタリングする。
【００４３】
検索空間は、共用検索空間（ｃｏｍｍｏｎ  ｓｅａｒｃｈｓ  ｐａｃｅ）と端末特定検索空間（ＵＥ−ｓｐｅｃｉｆｉｃ  ｓｅａｒｃｈ  ｓｐａｃｅ）に分けられる。共用検索空間は、共用制御情報を有するＰＤＣＣＨを検索する空間であり、ＣＣＥインデックス０〜１５までの１６個のＣＣＥで構成され、｛４，８｝のＣＣＥ集合レベルを有するＰＤＣＣＨをサポートする。端末特定検索空間は、｛１，２，４，８｝のＣＣＥ集合レベルを有するＰＤＣＣＨをサポートする。
【００４４】
以下、３ＧＰＰ  ＬＴＥにおけるＰＵＣＣＨを介するＡＣＫ／ＮＡＣＫ信号の送信に対して記述する。
【００４５】
図６は、３ＧＰＰ  ＬＴＥにおけるアップリンクサブフレームの一例を示す。アップリンクサブフレームは、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域と、アップリンクデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域と、に分けられる。一つの端末に対するＰＵＣＣＨは、サブフレームでリソースブロック対（ｐａｉｒ）で割当される。リソースブロック対に属するリソースブロックは、第１のスロットと第２のスロットの各々で互いに異なる副搬送波を占める。ｍは、サブフレーム内でＰＵＣＣＨに割り当てられたリソースブロック対の論理的な周波数領域位置を示す位置インデックスである。同じｍ値を有するリソースブロックが２個のスロットで互いに異なる副搬送波を占めていることを示す。
【００４６】
３ＧＰＰ  ＴＳ  ３６．２１１  Ｖ８．５．０（２００８−１２）によると、ＰＵＣＣＨは、多重フォーマットをサポートする。ＰＵＣＣＨフォーマットに従属した変調方式（ｍｏｄｕｌａｔｉｏｎ  ｓｃｈｅｍｅ）によってサブフレーム当たり互いに異なるビット数を有するＰＵＣＣＨを使用することができる。
【００４７】
次の表１は、ＰＵＣＣＨフォーマットによる変調方式及びサブフレーム当たりビット数の例を示す。
【００４８】
【表１】
0005567677.tif 000002
【００４９】
ＰＵＣＣＨフォーマット１はＳＲ（Ｓｃｈｅｄｕｌｉｎｇ  Ｒｅｑｕｅｓｔ）の送信に使われ、ＰＵＣＣＨフォーマット１ａ／１ｂはＨＡＲＱのためのＡＣＫ／ＮＡＣＫ信号の送信に使われ、ＰＵＣＣＨフォーマット２はＣＱＩの送信に使われ、ＰＵＣＣＨフォーマット２ａ／２ｂはＣＱＩ及びＡＣＫ／ＮＡＣＫ信号の同時（ｓｉｍｕｌｔａｎｅｏｕｓ）送信に使われる。サブフレームで、ＡＣＫ／ＮＡＣＫ信号のみを送信する時にＰＵＣＣＨフォーマット１ａ／１ｂが使われ、ＳＲが単独に送信される時にＰＵＣＣＨフォーマット１が使われる。ＳＲとＡＣＫ／ＮＡＣＫを同時に送信する時にはＰＵＣＣＨフォーマット１が使われ、ＳＲに割り当てられたリソースでＡＣＫ／ＮＡＣＫ信号を変調して送信する。
【００５０】
全てのＰＵＣＣＨフォーマットは、各ＯＦＤＭシンボルでシーケンスの循環シフト（ｃｙｌｉｃ  ｓｈｉｆｔ；ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）のみ循環シフトさせて生成される。特定ＣＳ量は、循環シフトインデックス（ＣＳ  ｉｎｄｅｘ）により指示される。
【００５１】
基本シーケンスｒｕ（ｎ）を定義した一例は、次の式の通りである。
【００５２】
【数１】
0005567677.tif 000003
【００５３】
ここで、ｕはルートインデックス（ｒｏｏｔ  ｉｎｄｅｘ）、ｎは要素インデックスであり、０≦ｎ≦Ｎ−１、Ｎは基本シーケンスの長さである。ｂ（ｎ）は、３ＧＰＰ  ＴＳ  ３６．２１１  Ｖ８．５．０（２００８−１２）で定義されている。
【００５４】
シーケンスの長さは、シーケンスに含まれる要素（ｅｌｅｍｅｎｔ）の個数と同じである。ｕは、セルＩＤ（ｉｄｅｎｔｉｆｉｅｒ）、無線フレーム内のスロット番号などにより決まることができる。基本シーケンスが周波数領域で一つのリソースブロックにマッピングされるとする時、一つのリソースブロックが１２副搬送波を含むため、基本シーケンスの長さＮは１２になる。異なるルートインデックスによって異なる基本シーケンスが定義される。
【００５５】
基本シーケンスｒ（ｎ）を次の数式のように循環シフトさせ、循環シフトされたシーケンスｒ（ｎ，Ｉｃｓ）を生成することができる。
【００５６】
【数２】
0005567677.tif 000004
【００５７】
ここで、Ｉｃｓは、ＣＳ量を示す循環シフトインデックスである（０≦Ｉｃｓ≦Ｎ−１）。
【００５８】
以下、基本シーケンスの可用（ａｖａｉｌａｂｌｅ）循環シフトインデックスは、ＣＳ間隔（ＣＳ  ｉｎｔｅｒｖａｌ）によって基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２になる。または、基本シーケンスの長さが１２であり、ＣＳ間隔が２の場合、基本シーケンスの可用循環シフトインデックスの総個数は６になる。
【００５９】
以下、ＰＵＣＣＨフォーマット１／１ａ／１ｂ（以下、総称してＰＵＣＣＨフォーマット１という）でのＨＡＲＱ  ＡＣＫ／ＮＡＣＫ信号の送信に対して記述する。
【００６０】
図７は、３ＧＰＰ  ＬＴＥにおけるノーマルＣＰでＰＵＣＣＨフォーマット１を示し、図８は、３ＧＰＰ  ＬＴＥにおける拡張ＣＰでＰＵＣＣＨフォーマット１を示す。ノーマルＣＰと拡張ＣＰは、スロット当たり含まれるＯＦＤＭシンボルの個数が異なるため、基準信号（ＲＳ）の位置と個数が異なる。然しながら、ＡＣＫ／ＮＡＣＫ送信の構造は同様である。
【００６１】
１ビットＡＣＫ／ＮＡＣＫ信号をＢＰＳＫ（Ｂｉｎａｒｙ  Ｐｈａｓｅ  Ｓｈｉｆｔ  Ｋｅｙｉｎｇ）変調したり、或いは２ビットＡＣＫ／ＮＡＣＫ信号をＱＰＳＫ（Ｑｕａｄｒａｔｕｒｅ  Ｐｈａｓｅ  Ｓｈｉｆｔ  Ｋｅｙｉｎｇ）変調することによって、変調シンボルｄ（０）が生成される。
【００６２】
ノーマルＣＰまたは拡張ＣＰで、一つのスロットにＡＣＫ／ＮＡＣＫ信号の送信のために５個のＯＦＤＭシンボルがあるため、一つのサブフレームにはＡＣＫ／ＮＡＣＫ信号の送信のために総１０個のＯＦＤＭシンボルがある。変調シンボルｄ（０）は循環シフトされたシーケンスｒ（ｎ，Ｉｃｓ）に拡散される。サブフレームで（ｉ＋１）番目のＯＦＤＭシンボルに対応する一次元拡散されたシーケンスをｍ（ｉ）とする時、｛ｍ（０），ｍ（１），．．．，ｍ（９）｝＝｛ｄ（０）ｒ（ｎ，Ｉｃｓ），ｄ（０）ｒ（ｎ，Ｉｃｓ），．．．，ｄ（０）ｒ（ｎ，Ｉｃｓ）｝で表すことができる。
【００６３】
端末容量を増加させるために、一次元拡散されたシーケンスは、直交シーケンスを用いて拡散されることができる。
【００６４】
拡散係数（ｓｐｒｅａｄｉｎｇ  ｆａｃｔｏｒ）Ｋ＝４である直交シーケンスｗｉ（ｋ）（ｉは、シーケンスインデックス、０≦ｋ≦Ｋ−１）であり、次のようなシーケンスを使用する。
【００６５】
【表２】
0005567677.tif 000005
【００６６】
拡散係数Ｋ＝３である直交シーケンスｗｉ（ｋ）（ｉは、シーケンスインデックス、０≦ｋ≦Ｋ−１）であり、次のようなシーケンスを使用する。
【００６７】
【表３】
0005567677.tif 000006
【００６８】
スロット毎に異なる拡散係数を使用することができる。３ＧＰＰ  ＬＴＥでは、ＳＲＳ（ｓｏｕｎｄｉｎｇ  ｒｅｆｅｒｅｎｃｅ  ｓｉｇｎａｌ）の送信のためにサブフレーム内の最後のＯＦＤＭシンボルを使用する。この時、ＰＵＣＣＨで、第１のスロットは拡散係数Ｋ＝４を使用し、第２のスロットは拡散係数Ｋ＝３を使用する。
【００６９】
従って、任意の直交シーケンスインデックスｉが与えられる時、２次元拡散されたシーケンスｓ（０），ｓ（１），．．．，ｓ（９）は、次のように示すことができる。
【００７０】
｛ｓ（０），ｓ（１），．．．，ｓ（９）｝＝｛ｗｉ（０）ｍ（０），ｗｉ（１）ｍ（１），ｗｉ（２）ｍ（２），ｗｉ（３）ｍ（３），ｗｉ（４）ｍ（４），ｗｉ（０）ｍ（５），ｗｉ（１）ｍ（７），ｗｉ（２）ｍ（８），ｗｉ（３）ｍ（９）｝
【００７１】
循環シフトインデックスＩｃｓは、無線フレーム内のスロット番号（ｎｓ）及び／またはスロット内のシンボルインデックス（ｌ）によって変わることができる。最初の循環シフトインデックスを０とし、ＯＦＤＭシンボル毎に循環シフトインデックスの値が一つずつ増加するとする時、図７及び図８に示すように、｛ｓ（０），ｓ（１），．．．，ｓ（９）｝＝｛ｗｉ（０）ｄ（０）ｒ（ｎ，０），ｗｉ（１）ｄ（１）ｒ（ｎ，１），．．．，ｗｉ（３）ｄ（９）ｒ（ｎ，９）｝で表すことができる。
【００７２】
２次元拡散されたシーケンス｛ｓ（０），ｓ（１），．．．，ｓ（９）｝は、ＩＦＦＴが実行された後、対応するリソースブロックを介して送信される。従って、ＡＣＫ／ＮＡＣＫ信号がＰＵＣＣＨ上に送信される。
【００７３】
直交シーケンスインデックスｉ、循環シフトインデックスＩｃｓ、及びリソースブロックインデックスｍは、ＰＵＣＣＨを構成するために必要なパラメータであり、且つＰＵＣＣＨ（または端末）を区別するために使われるリソースである。可用循環シフトの個数が１２であり、可用な直交シーケンスインデックスの個数が３の場合、総３６個の端末に対するＰＵＣＣＨが一つのリソースブロックに多重化されることができる。
【００７４】
３ＧＰＰ  ＬＴＥでは端末がＰＵＣＣＨを構成するための前記３個のパラメータを獲得するために、リソースインデックスｎ（１）ＰＵＵＣＨを定義する。リソースインデックスｎ（１）ＰＵＵＣＨ＝ｎＣＣＥ＋Ｎ（１）ＰＵＵＣＨであり、ｎＣＣＥは、対応するＤＣＩ（即ち、ＡＣＫ／ＮＡＣＫ信号に対応するダウンリンクデータの受信に使われたダウンリンクリソース割当）の送信に使われる１番目のＣＣＥの番号であり、Ｎ（１）ＰＵＵＣＨは、基地局が端末に上位階層メッセージを介して知らせるパラメータである。
【００７５】
結果的に、ＰＵＣＣＨの送信に使われるリソースは、対応するＰＤＣＣＨのリソースに従属して黙示的に（ｉｍｐｌｉｃｉｔｌｙ）決定されているということができる。その理由は、基地局は、端末がＡＣＫ／ＮＡＣＫ信号のためのＰＵＣＣＨの送信に使われるリソースを別途に知らせずに、ダウンリンクデータの送信に使われるＰＤＣＣＨに使われるリソースを介して間接的に知らせるためである。
【００７６】
図９は、ＨＡＲＱ実行の一例を示す。端末は、ＰＤＣＣＨをモニタリングし、ｎ番目のサブフレームでダウンリンクグラントが含まれたＰＤＣＣＨ５０１を受信する。端末はダウンリンクグラントにより指示されるＰＤＳＣＨ５０２を介してダウンリンク転送ブロック（ｔｒａｎｓｐｏｒｔ  ｂｌｏｃｋ）を受信する。
【００７７】
端末は、ｎ＋４番目のサブフレームからＰＵＣＣＨ５１１上に前記ダウンリンク転送ブロックに対するＡＣＫ／ＮＡＣＫ信号を送信する。ＡＣＫ／ＮＡＣＫ信号は、前記ダウンリンク転送ブロックが成功的にデコーディングされるとＡＣＫ信号になり、前記ダウンリンク転送ブロックがデコーディングに失敗するとＮＡＣＫ信号になる。基地局は、ＮＡＣＫ信号が受信される場合、ＡＣＫ信号が受信されたり、或いは最大再送信回数まで前記ダウンリンク転送ブロックの再送信を実行することができる。
【００７８】
ＰＵＣＣＨ５１１を構成するために、端末はＰＤＣＣＨ５０１のリソース割当を用いる。即ち、ＰＤＣＣＨ５０１の送信に使われる最も低いＣＣＥインデックスがｎＣＣＥになり、ｎ（１）ＰＵＵＣＨ＝ｎＣＣＥ＋Ｎ（１）ＰＵＵＣＨのようにリソースインデックスが決定される。
【００７９】
以下、３ＧＰＰ  ＴＳ  ３６．２１３  Ｖ８．５．０（２００８−１２）の５節を参照し、３ＧＰＰ  ＬＴＥにおけるアップリンク送信パワーに対して記述する。
【００８０】
サブフレームｉでＰＵＳＣＨ送信のための送信パワーＰＰＵＳＣＨは、次のように定義される。
【００８１】
【数３】
0005567677.tif 000007
【００８２】
ここで、ＰＣＭＡＸは設定された端末送信パワー、ＭＰＵＳＣＨ（ｉ）はＲＢ単位のＰＵＳＣＨリソース割当の帯域幅である。ＰＯ＿ＰＵＳＣＨ（ｊ）はｊ＝０と１の場合、上位階層で与えられるセル特定要素ＰＯ＿ＮＯＭＩＮＡＬ＿ＰＵＳＣＨ（ｊ）と端末特定要素ＰＯ＿ＵＥ＿ＰＵＳＣＨ（ｊ）との和で構成されるパラメータである。α（ｊ）は上位階層に与えられるパラメータである。ＰＬは端末により計算されるダウンリンク経路損失推定である。ΔＴＦ（ｉ）は端末特定パラメータである。ｆ（ｉ）はＴＰＣ（ｔｒａｎｓｍｉｔ  ｐｏｗｅｒ  ｃｏｎｔｒｏｌ）命令から獲得される端末特定値である。
【００８３】
サブフレームｉでＰＵＣＣＨ送信のための送信パワーＰＰＵＣＣＨは、次のように定義される。
【００８４】
【数４】
0005567677.tif 000008
【００８５】
ここで、ＰＣＭＡＸとＰＬは式３と同じであり、ＰＯ＿ＰＵＣＣＨ（ｊ）は上位階層で与えられるセル特定要素ＰＯ＿ＮＯＭＩＮＡＬ＿ＰＵＣＣＨ（ｊ）と端末特定要素ＰＯ＿ＵＥ＿ＰＵＣＣＨ（ｊ）との和で構成されるパラメータである。ｈ（ｎＣＱＩ，ｎＨＡＲＱ）はＰＵＣＣＨフォーマットに従属する値である。ΔＦ＿ＰＵＣＣＨ（Ｆ）は上位階層により与えられるパラメータである。ｇ（ｉ）はＴＰＣ命令から獲得される端末特定値である。
【００８６】
以下、アップリンク多重アンテナ送信に対して記述する。
【００８７】
図１０は、多重アンテナを介するＡＣＫ／ＮＡＣＫ信号の送信の一例を示す。
【００８８】
ＡＣＫ／ＮＡＣＫ信号の送信に使われる時間、周波数、コードリソースをＡＣＫ／ＮＡＣＫリソースまたはＰＵＣＣＨリソースという。前述したように、ＡＣＫ／ＮＡＣＫ信号をＰＵＣＣＨ上に送信するために必要なＡＣＫ／ＮＡＣＫリソースのインデックス（ＡＣＫ／ＮＡＣＫリソースインデックスまたはＰＵＣＣＨインデックスという）は、直交シーケンスインデックスｉ、循環シフトインデックスＩｃｓ、リソースブロックインデックスｍ、及び前記３個のインデックスを求めるためのインデックスのうち少なくともいずれか一つで表現されることができる。ＡＣＫ／ＮＡＣＫリソースは、直交シーケンス、循環シフト、リソースブロック、及びこれらの組合せのうち少なくともいずれか一つを含むことができる。
【００８９】
説明を明確にするために、ＡＣＫ／ＮＡＣＫリソースインデックスを前述したリソースインデックスｎ（１）ＰＵＵＣＨとして例示的に記述するが、ＡＣＫ／ＮＡＣＫリソースの構成や表現に制限があるものてはない。
【００９０】
ＡＣＫ／ＮＡＣＫ信号の変調シンボルｓ１は、第１のＡＣＫ／ＮＡＣＫリソースを用いて第１のアンテナ６０１を介して送信され、第２のＡＣＫ／ＮＡＣＫリソースを用いて第２のアンテナ６０２を介して送信される。
【００９１】
第１のＡＣＫ／ＮＡＣＫリソースインデックスから第１の直交シーケンスインデックスｉ１、第１の循環シフトインデックスＩｃｓ１、及び第１のリソースブロックインデックスｍ１を求め、これによって第１のＰＵＣＣＨを構成する。第２のＡＣＫ／ＮＡＣＫリソースインデックスから第２の直交シーケンスインデックスｉ２、第２の循環シフトインデックスＩｃｓ２、及び第２のリソースブロックインデックスｍ２を求め、これによって第２のＰＵＣＣＨを構成する。変調シンボルｓ１は、第１のＰＵＣＣＨ上に第１のアンテナ６０１を介して送信され、第２のＰＵＣＣＨ上に第２のアンテナ６０２を介して送信される。
【００９２】
結果的に、同じＡＣＫ／ＮＡＣＫ信号が互いに異なるリソースを用いて互いに異なるアンテナを介して送信されることによって、送信ダイバーシティ利得（ｔｒａｎｓｍｉｔ  ｄｉｖｅｒｓｉｔｙ  ｇａｉｎ）を得ることができる。
【００９３】
既存３ＧＰＰ  ＬＴＥでシングルアンテナのみをサポートするため、一つのＡＣＫ／ＮＡＣＫリソースはＰＤＣＣＨの送信に使われるリソースから決定される。即ち、ＰＤＣＣＨの送信に使われる最も低いＣＣＥインデックスから一つのリソースインデックス、即ち、ＡＣＫ／ＮＡＣＫリソースのインデックスが決定される。
【００９４】
然しながら、図１０の例によると、２個のＡＣＫ／ＮＡＣＫリソースが必要である。これは多重アンテナ送信のためには複数のＡＣＫ／ＮＡＣＫリソースが必要であることを意味する。
【００９５】
図１１は、複数のリソース決定方法を示す。この方法で、第１のＡＣＫ／ＮＡＣＫリソースは既存３ＧＰＰ  ＬＴＥのように決定され、第２のＡＣＫ／ＮＡＣＫリソースは最も低いＣＣＥインデックスの次のＣＣＥインデックスに基づいて決定される。
【００９６】
ＣＣＥインデックスのうちダウンリンクグラントに対するＰＤＣＣＨの送信に使われるＣＣＥインデックス５が最も低いインデックスであると仮定する。もし、ＣＣＥ集合レベルＬ＝１の場合、第１のＡＣＫ／ＮＡＣＫリソースインデックス（Ｐ１）は、既存と同様に最も低いＣＣＥインデックス５に基づいて求め、第２のＡＣＫ／ＮＡＣＫリソースインデックス（Ｐ２）は、次のインデックス６に基づいて求める。ＣＣＥ集合レベルＬ＝２，４，８の場合も同様である。
【００９７】
もし、最も低いＣＣＥインデックスの次のＣＣＥインデックスがＮＣＣＥ−１より大きい場合、循環シフトされて次のＣＣＥインデックスを０にすることができる。ＮＣＣＥは全体ＣＣＥの個数である。
【００９８】
即ち、第１及び第２のＡＣＫ／ＮＡＣＫリソースインデックスがＣＣＥ集合レベルに関係なしに、Ｐ１＝ｎＣＣＥ＋Ｎ（１）ＰＵＵＣＨ、Ｐ２＝（ｎＣＣＥ＋１）＋Ｎ（１）ＰＵＵＣＨのように定義されることができる。
【００９９】
ここでは、最も低いＣＣＥインデックスの次のインデックスに基づいて第２のＡＣＫ／ＮＡＣＫリソースインデックス（Ｐ２）を求めているが、より一般的に、Ｐ２＝（ｎＣＣＥ＋ｂ）＋Ｎ（１）ＰＵＵＣＨのように求めることができる。‘ｂ’は任意の整数である。
【０１００】
以下、提案されるアップリンク送信パワー制御に対して記述する。
【０１０１】
無線装置が多重アンテナ送信をサポートするとしても、常に多重アンテナ送信を使用することができるものではない。リソースの非割当などの理由で、無線装置は、多重アンテナ送信とシングルアンテナ送信との間を動的にスイッチングするのが可能でなければならない。
【０１０２】
図１１の例で、ＣＣＥインデックス６が他の端末に割り当てられると、端末は、第１のＡＣＫ／ＮＡＣＫリソースのみを獲得し、第２のＡＣＫ／ＮＡＣＫリソースを獲得することができない。一つのＡＣＫ／ＮＡＣＫリソースのみが獲得されると、端末は、一つのＡＣＫ／ＮＡＣＫリソースを用いて一つのアンテナを介してＡＣＫ／ＮＡＣＫ信号を送信することができる。即ち、２個のアンテナを用いた多重アンテナ送信からシングルアンテナ送信にスイッチングされることである。
【０１０３】
送信モードがスイッチングされる時、送信パワーを效率的に制御することができない場合、リンク性能が悪化することができる。
【０１０４】
図１２は、本発明の一実施例に係る送信パワー制御方法を示すフローチャートである。
【０１０５】
端末は、複数の送信モードのうち一つの送信モード（ｔｒａｎｓｍｉｔ  ｍｏｄｅ）を選択する（Ｓ１２１０）。送信モードは、多重アンテナまたはシングルアンテナを用いた端末のアップリンク送信モードを示す。
【０１０６】
多重アンテナを用いた送信は多重アンテナ送信モードといい、シングルアンテナを用いた送信はシングルアンテナ送信モードという。多重アンテナ送信は、使われるアンテナの数によって区分されることができる。例えば、４個のアンテナがサポートされると、端末は、２以上のアンテナを使用する多重アンテナ送信モードと一つのアンテナを使用するシングルアンテナ送信モードとを動的にスイッチングすることができる。多重アンテナ送信は、アンテナの数が各々２、３、４の場合、互いに異なる送信モードになることができる。
【０１０７】
端末は、基地局からの指示により送信モードを決定することができる。基地局が多重アンテナ送信モードまたはシングルアンテナ送信モードを上位階層メッセージまたはＰＤＣＣＨを介して端末に知らせることができる。
【０１０８】
端末は、アップリンク送信に割り当てられたリソース（例、ＰＵＣＣＨリソース）に基づいて送信モードを決定することができる。端末に割り当てられたＰＵＣＣＨリソースの個数が１より大きい場合、多重アンテナ送信モードに決定し、ＰＵＣＣＨリソースの個数が１個の場合、シングルアンテナ送信モードに決定することができる。
【０１０９】
端末は、前記選択された送信モードに基づいてアップリンクチャネルの送信パワーを決定する（Ｓ１２２０）。送信パワーは、送信モードによる送信パワーオフセットΔ（Ｍ）に基づいて決定されることができる。Ｍは送信モードを示す。
【０１１０】
例えば、Ｍ＝１はシングルアンテナ送信モード、Ｍ＝２は２個のアンテナ（または２個のリソース）を用いた多重アンテナ送信モード、Ｍ＝３は３個のアンテナ（または３個のリソース）を用いた多重アンテナ送信モード、Ｍ＝４は４個のアンテナ（または４個のリソース）を用いた多重アンテナ送信モードであると仮定する。端末は、選択された送信モードによってΔ（１）、Δ（２）、Δ（３）、及びΔ（４）のうち一つの送信パワーオフセットを決定する。
【０１１１】
端末は、送信モードによって送信パワーオフセットΔ（Ｍ）を決定し、これをアップリンクチャネルの送信パワーに加えることができる。
【０１１２】
送信モードを考慮する時、式３のＰＵＳＣＨ送信のための送信パワーＰＰＵＳＣＨは、次のように変更されることができる。
【０１１３】
【数５】
0005567677.tif 000009
【０１１４】
また、式４のＰＵＣＣＨ送信のための送信パワーＰＰＵＣＣＨは、次のように変更されることができる。
【０１１５】
【数６】
0005567677.tif 000010
【０１１６】
前記式の変形は例題に過ぎず、当業者であれば多様な変更が可能である。例えば、送信パワーオフセットΔ（Ｍ）は、送信パワーの計算に使われる端末特定パラメータ（例、ΔＴＦ（ｉ）、ｆ（ｉ）、ΔＦ＿ＰＵＣＣＨ（Ｆ）、ｇ（ｉ））に含まれることができる。
【０１１７】
端末は、前記送信パワーを用いてアップリンクチャネルを送信する（Ｓ１２３０）。２個のアンテナと２個のＰＵＣＣＨリソースを用いてＡＣＫ／ＮＡＣＫ信号が送信される時、図１０の構造のようにＡＣＫ／ＮＡＣＫ信号が送信されることができる。
【０１１８】
端末が多重アンテナ送信モードからシングルアンテナ送信モードにスイッチングする時、端末が多重アンテナ送信と同じ送信パワーを維持しつつ、シングルアンテナ送信を実行することは、リンク性能を悪化させることができる。
【０１１９】
例えば、２個のＰＵＣＣＨリソースの割当を受けた端末が２個のアンテナを介して多重アンテナ送信モードにＡＣＫ／ＮＡＣＫ信号を送信すると仮定する。各送信アンテナの送信パワーはＸｄＢｍと仮定する。この時、全体送信パワーはＸ＋３ｄＢｍになる。
【０１２０】
ある理由により端末が一つのＰＵＣＣＨリソースの割当を受けた時、シングルアンテナ送信モードにスイッチングすることができる。この時、送信パワーも既存とＸｄＢｍを維持すると、リンク性能が低下されることができる。既存送信パワーＸｄＢｍは、送信ダイバーシティ利得を考慮して設計されたものであるため、シングルアンテナ送信では送信ダイバーシティ利得が損失されるためである。
【０１２１】
従って、提案された方法では送信モードによって端末がアップリンクチャネルの送信パワーを調節することができるようにする。
【０１２２】
使われるアンテナの数が小さいほど大きい送信パワーオフセットΔ（Ｍ）が設定されることができる。例えば、Δ（２）＝０であり、Δ（１）＝Ｋ（Ｋは、正の整数）に設定されることができる。
【０１２３】
送信パワーオフセットΔ（Ｍ）は、予め定義されることができる。
【０１２４】
基地局は、送信パワーオフセットΔ（Ｍ）を求めるための情報を端末に知らせることができる。基地局は、各送信モードによる送信パワーオフセットを知らせることができ、または一つの送信モードの送信パワーオフセットと残りの送信モードの送信パワーオフセットとの間の差を知らせることができる。前記情報は、システム情報、ＲＲＣメッセージ、ＭＡＣメッセージまたはＰＤＣＣＨを介して送信されることができる。
【０１２５】
送信パワーオフセットΔ（Ｍ）は、ＰＵＣＣＨフォーマットによって異なるように与えられることができる。ＰＵＣＣＨフォーマットによって送信ダイバーシティ利得が異なるため、送信パワーの補償値が異なるためである。
【０１２６】
図１３は、本発明の実施例が具現される無線装置を示すブロック図である。これは端末の一部である。
【０１２７】
無線装置１３００は、データプロセッサ１３１０、送信パワー制御部１３２０、送受信機１３３０、及び複数のアンテナ１３４０を含む。
【０１２８】
データプロセッサ１３１０は、トラフィックデータ及び／または制御信号（例、ＣＱＩ、ＡＣＫ／ＮＡＣＫ）のエンコーディング／デコーディング及び変調／復調を具現する。
【０１２９】
送信パワー制御部１３２０は、アップリンクチャネルの送信パワーを制御する。図１２の実施例に示すように、送信パワー制御部１３２０は、送信モードを決定し、前記送信モードに基づいてアップリンクチャネルの送信パワーを決定することができる。
【０１３０】
送受信機１３３０は、トラフィックデータ及び／または制御信号を前記送信パワーを用いてアップリンクチャネル上に一つまたはその以上のアンテナ１３４０を介して送信する。
【０１３１】
データプロセッサ１３１０、送信パワー制御部１３２０、及び送受信機１３３０は、一つのプロセッサ、チップセットまたは論理回路で具現されることができる。
【０１３２】
アンテナは、アンテナポートと呼ばれることもあり、物理的アンテナまたは論理的アンテナである。一つの論理的アンテナは、一つまたはその以上の物理的アンテナを含むことができる。
【０１３３】
前述した例示的なシステムで、方法は一連のステップまたはブロックで順序図に基づいて説明されているが、本発明はステップの順序に限定されるものではなく、あるステップは前述と異なるステップと異なる順序にまたは同時に発生することができる。また、当業者であるば、順序図に示すステップが排他的でなく、他のステップが含まれたり、或いは順序図の一つまたはその以上のステップが本発明の範囲に影響を及ぼさずに削除可能であることを理解することができる。
【図１】
0005567677.tif 000015
【図２】
0005567677.tif 000016
【図３】
0005567677.tif 000017
【図４】
0005567677.tif 000018
【図５】
0005567677.tif 000019
【図６】
0005567677.tif 000020
【図７】
0005567677.tif 000021
【図８】
0005567677.tif 000022
【図９】
0005567677.tif 000023
【図１０】
0005567677.tif 000024
【図１１】
0005567677.tif 000025
【図１２】
0005567677.tif 000026
【図１３】
0005567677.tif 000027